(57)【要約】【課題】分割領域毎に求めた複数の階調変換カーブを用いる階調変換処理において、マルチ画面表示時における映像コンテンツ間の境界部分の画質の劣化を抑制できる技術を提供する。【解決手段】本発明の画像処理装置は、入力された映像を複数の分割領域に分割し、各分割領域のヒストグラムを取得する取得手段と、各分割領域のヒストグラムに基づいて、各分割領域の階調変換カーブを生成する生成手段と、入力された映像がマルチ画面映像であるか否かを判断する判断手段と、各分割領域の階調変換カーブを用いて各分割領域の映像の階調を補正する際に、画素位置に応じて、複数の分割領域の階調変換カーブを用いた平滑化処理を行う階調補正手段と、を有し、入力された映像がマルチ画面映像である場合に、判断手段は、複数の映像コンテンツ間の境界の位置を検出し、階調補正手段は、境界から所定の範囲内において平滑化処理を行わない。【選択図】図１
2011250394.tif 000002
【特許請求の範囲】
【請求項１】
階調変換カーブを用いて映像の階調を補正する画像処理装置であって、
入力された映像を複数の分割領域に分割し、各分割領域のヒストグラムを取得する取得手段と、
各分割領域のヒストグラムに基づいて、各分割領域の階調変換カーブを生成する生成手段と、
前記入力された映像が複数の映像コンテンツを１つの画面に表示するマルチ画面映像であるか否かを判断する判断手段と、
各分割領域の階調変換カーブを用いて各分割領域の映像の階調を補正する際に、画素位置に応じて、複数の分割領域の階調変換カーブを用いた平滑化処理を行う階調補正手段と、
を有し、
前記入力された映像が前記マルチ画面映像である場合に、
前記判断手段は、前記複数の映像コンテンツ間の境界の位置を検出し、
前記階調補正手段は、前記境界から所定の範囲内において前記平滑化処理を行わない
ことを特徴とする画像処理装置。
【請求項２】
前記判断手段は、前記境界の位置を画素単位で検出し、
前記階調補正手段は、画素単位で前記平滑化処理を行うか否かを切り替える
ことを特徴とする請求項１に記載の画像処理装置。
【請求項３】
複数の映像コンテンツから前記マルチ画面映像を生成し出力するマルチ画面映像生成手段
を更に有し、
前記マルチ画面映像生成手段は、前記生成したマルチ画面映像中の映像コンテンツのレイアウトを表すレイアウト情報を出力し、
前記判断手段は、前記レイアウト情報に基づいて前記境界の位置を検出する
ことを特徴とする請求項１または２に記載の画像処理装置。
【請求項４】
前記マルチ画面映像生成手段は、前記レイアウト情報をフレーム毎に出力する
ことを特徴とする請求項３に記載の画像処理装置。
【請求項５】
前記階調補正手段により階調補正された映像を表示する表示部を更に有することを特徴とする請求項１〜４のいずれか１項に記載の画像処理装置。
【請求項６】
階調変換カーブを用いて映像の階調を補正する画像処理装置の制御方法であって、
入力された映像を複数の分割領域に分割し、各分割領域のヒストグラムを取得する取得ステップと、
各分割領域のヒストグラムに基づいて、各分割領域の階調変換カーブを生成する生成ステップと、
前記入力された映像が複数の映像コンテンツを１つの画面に表示するマルチ画面映像であるか否かを判断する判断ステップと、
各分割領域の階調変換カーブを用いて各分割領域の映像の階調を補正する際に、画素位置に応じて、複数の分割領域の階調変換カーブを用いた平滑化処理を行う平滑化ステップと、
を有し、
前記入力された映像が前記マルチ画面映像である場合に、
前記判断ステップでは、前記複数の映像コンテンツ間の境界の位置を検出し、
前記平滑化ステップでは、前記境界から所定の範囲内において前記平滑化処理を行わな
い
ことを特徴とする画像処理装置の制御方法。
【発明の詳細な説明】
【技術分野】
【０００１】
本発明は、画像処理装置及びその制御方法に関する。
【背景技術】
【０００２】
従来、映像の一部の領域内での輝度分散（輝度の分散）に応じて該領域内の輝度を平滑化することにより、輝度分散の大きい領域では十分なコントラストを保ち、輝度分散の小さい領域（平坦な領域）ではノイズの強調を抑制する技術がある（特許文献１）。
また、映像を複数の領域（分割領域）に分割し、領域毎に画像に応じた階調変換カーブ（γカーブ）を用いて階調を調整することにより画像のコントラスト比を向上させる技術において、領域間のγカーブの変化を平滑化する技術がある（特許文献２）。
【先行技術文献】
【特許文献】
【０００３】
【特許文献１】特開２００３−２６３６３７号公報
【特許文献２】特開２００８−２６３５８６号公報
【発明の概要】
【発明が解決しようとする課題】
【０００４】
しかしながら、上述した従来技術では、複数の映像コンテンツを１つの画面に表示するマルチ画面表示時に、映像コンテンツ間の境界部分においても分割領域間のγカーブの変化の平滑化が行われるため、該境界部分の画質が劣化する虞がある。例えば、明るい映像コンテンツと暗い映像コンテンツが隣り合っている場合に、それらの映像コンテンツ間の境界部分でγカーブの変化を平滑化すると、境界近傍に擬似輪郭や輝度段差などの妨害が生じる虞がある。
【０００５】
本発明は、分割領域毎に求めた複数の階調変換カーブを用いる階調変換処理において、マルチ画面表示時における映像コンテンツ間の境界部分の画質の劣化を抑制できる技術を提供することを目的とする。
【課題を解決するための手段】
【０００６】
本発明の画像処理装置は、階調変換カーブを用いて映像の階調を補正する画像処理装置であって、入力された映像を複数の分割領域に分割し、各分割領域のヒストグラムを取得する取得手段と、各分割領域のヒストグラムに基づいて、各ヒストグラムの階調変換カーブを生成する生成手段と、前記入力された映像が複数の映像コンテンツを１つの画面に表示するマルチ画面映像であるか否かを判断する判断手段と、各分割領域の階調変換カーブを用いて各分割領域の映像の階調を補正する際に、画素位置に応じて、複数の分割領域の階調変換カーブを用いた平滑化処理を行う階調補正手段と、を有し、前記入力された映像が前記マルチ画面映像である場合に、前記判断手段は、前記複数の映像コンテンツ間の境界の位置を検出し、前記階調補正手段は、前記境界から所定の範囲内において前記平滑化処理を行わないことを特徴とする。
【０００７】
本発明の画像処理装置の制御方法は、階調変換カーブを用いて映像の階調を補正する画像処理装置の制御方法であって、入力された映像を複数の分割領域に分割し、各分割領域のヒストグラムを取得する取得ステップと、各分割領域のヒストグラムに基づいて、各ヒストグラムの階調変換カーブを生成する生成ステップと、前記入力された映像が複数の映像コンテンツを１つの画面に表示するマルチ画面映像であるか否かを判断する判断ステップと、各分割領域の階調変換カーブを用いて各分割領域の映像の階調を補正する際に、画
素位置に応じて、複数の分割領域の階調変換カーブを用いた平滑化処理を行う平滑化ステップと、を有し、前記入力された映像が前記マルチ画面映像である場合に、前記判断ステップでは、前記複数の映像コンテンツ間の境界の位置を検出し、前記平滑化ステップでは、前記境界から所定の範囲内において前記平滑化処理を行わないことを特徴とする。
【発明の効果】
【０００８】
本発明によれば、分割領域毎に求めた複数の階調変換カーブを用いる階調変換処理において、マルチ画面表示時における映像コンテンツ間の境界部分の画質の劣化を抑制できる。
【図面の簡単な説明】
【０００９】
【図１】実施例１に係る画像処理装置の機能構成の一例を示すブロック図。
【図２】実施例２に係る画像処理装置の機能構成の一例を示すブロック図。
【図３】分割領域の一例を示す図。
【図４】入力映像の一例を示す図。
【図５】注目階調の検出結果の一例を示す図。
【図６】γカーブの一例を示す図。
【図７】実施例１に係る補正判断部の判断結果の一例を示す図。
【図８】実施例１に係る補正判断部の判断結果の一例を示す図。
【図９】実施例１の効果を説明するためのイメージ図。
【図１０】実施例２に係る補正判断部の判断結果の一例を示す図。
【図１１】実施例２に係る補正判断部の判断結果の一例を示す図。
【図１２】実施例２に係る画像処理装置の出力の一例を示す図。
【図１３】従来の画像処理装置の出力の一例を示す図。
【発明を実施するための形態】
【００１０】
＜実施例１＞
以下、実施例１に係る画像処理装置及びその制御方法について説明する。本実施例に係る画像処理装置は、階調変換カーブ（γカーブ）を用いて映像の階調を補正する。
図１は、本実施例に係る画像処理装置の機能構成を示すブロック図である。図１に示すように、画像処理装置１００は、信号入力部１０１、ヒストグラム取得部１１２、領域γカーブ生成部１１３、補正部１１４、操作部１２１、マルチ画面検出部１２２、補正判断部１２３、信号出力部１０２などを有する。
【００１１】
信号入力部１０１には、映像（映像信号）や画像処理装置１００を制御する制御信号が入力される。映像信号は、例えば、動画像、静止画像、文字、ＣＧなどを含む信号である。具体的には、放送番組、電子番組表データ、データ放送データ、インターネットを介して取得されるＷｅｂデータ、デジカメ、カムコーダ、レコーダなどの外部機器から入力されるデータなどを含む信号である。
【００１２】
ヒストグラム取得部１１２は、信号入力部１０１に入力された映像を複数の分割領域に分割し、各分割領域のヒストグラムを取得する（取得手段）。
本実施例では、ヒストグラム取得部１１２は、入力された１９２０×１０８０画素の映像を５×３個の分割領域（図３の分割領域Ｒ１１〜Ｒ３５）に分割して、各分割領域の輝度ヒストグラムを取得する。また、本実施例では、輝度ヒストグラムは階調値０〜２５５の２５６カテゴリのヒストグラムとする。ただし、輝度ヒストグラムを取得することに限定されず、例えばＲＧＢヒストグラムを取得する構成であってもよい。
なお、分割領域の数は任意であり、例えば、映像を１５×１０個や２０×１０個の分割領域に分割してもよい。また、輝度ヒストグラムのカテゴリ数は２５６に限らない。例えば、階調値０〜１２７の１２８カテゴリ、階調値０〜５１１の５１２カテゴリであっても
よい。
【００１３】
領域γカーブ生成部１１３は、各分割領域のヒストグラムに基づいて各分割領域のγカーブを生成する（生成手段）。本実施例では、分割領域毎に、その分割領域の輝度ヒストグラムに基づいて注目階調を検出する。そして、その検出結果に基づいて最適なγカーブを生成する。注目階調は、階調性を高めることが望ましい階調値であり、例えば、輝度ヒストグラムの中で度数が所定数以上の階調値や、輝度ヒストグラムにおいてピークを示す階調値などである。
なお、注目階調は、１つの分割領域に対し１つだけ検出してもよいし、複数検出してもよい。例えば、領域γカーブ生成部１１３は、注目階調を１つ検出し、検出した注目階調に応じたγカーブを生成してもよい。また、暗部、明部、中間部などの階調範囲毎に注目階調を１つ検出してもよい。そして、階調範囲毎に検出した注目階調に応じたγカーブを生成し、それらのγカーブを繋ぎ合せることにより、最終的なγカーブを決定してもよい。また、暗部のγカーブと明部のγカーブを補間することにより、中間部のγカーブを決定してもよい。暗部、明部、中間部の階調範囲は適宜設定すればよい。例えば、階調値０〜８５の範囲を暗部、階調値８６〜１６９の範囲を中間部、階調値１７０〜２５５の範囲を明部などとすればよい。
【００１４】
図５は、注目階調の検出結果の一例を示す図である。具体的には、図５は、図４に示す映像が入力された場合（分割領域Ｒ２３にのみ映像コンテンツが存在する映像が入力された場合）の注目階調の検出結果を示す。
本実施例では、分割領域毎に、検出された注目階調（検出結果）として０〜２５５の値（階調値）が設定される。また、本実施例では、注目階調が検出されなかった分割領域に対しては−１が設定される。
例えば、図４の領域Ａ（分割領域Ｒ２３）で注目階調として階調値４０が検出された場合、図５のように分割領域Ｒ２３に対する値として４０が設定される。
そして、図４の領域Ａ以外の領域（分割領域Ｒ１１〜Ｒ１５，Ｒ２１，Ｒ２２，Ｒ２４，Ｒ２５，Ｒ３１〜Ｒ３５）には、映像コンテンツが存在しないため、注目階調が検出されず、−１が設定される。
【００１５】
図６は、図５に示す注目階調の検出結果を元に生成されるγカーブの一例を示す。分割領域Ｒ２３の値（検出結果）は４０となっているため、注目階調である階調値４０近傍の映像をつぶさないようなγカーブ６０１が生成される。
また、分割領域Ｒ１１〜Ｒ１５，Ｒ２１，Ｒ２２，Ｒ２４，Ｒ２５，Ｒ３１〜Ｒ３５の値は−１となっているため（注目階調が存在しないため）、例えば、コントラストを高めるようなγカーブ６０２が生成される。
【００１６】
操作部１２１は、ユーザがリモコンや画像処理装置１００本体に設けられた操作用のボタンの操作を行った場合に、該操作の内容を表す信号（操作信号）を生成し、出力する。
マルチ画面検出部１２２は、入力された映像が複数の映像コンテンツを１つの画面に表示するマルチ画面映像であるか否かを判断する（判断手段）。具体的には、操作部１２１からの操作信号や、信号入力部１０１からの映像信号や制御信号に基づいて、表示モードが１画面表示モードかマルチ画面表示モードかを判断する。
【００１７】
１画面表示モードとは、１つの映像コンテンツを画面全体に表示する表示モードである。
マルチ画面表示モードとは、複数の映像コンテンツを１つの画面に同時に表示する表示モード（マルチ画面映像を表示する表示モード）である。例えば、マルチ画面表示モードでは、映像ソースの異なる複数の映像コンテンツが１つの画面に同時に表示される。また、電子番組表データやデータ放送データなどのデータを他の映像コンテンツと同時に表示
する場合や、レターボックス形式のように背景と共に映像コンテンツを表示する場合も、マルチ画面表示モードに含まれる。即ち、本実施例では、電子番組表データやデータ放送データなどのデータや背景なども映像コンテンツに含まれる。また、１つの映像コンテンツ中の複数フレームの画像を同時に表示する場合や、撮影位置の異なる複数の映像コンテンツ（マルチアングル映像や３Ｄ立体映像を構成する複数の映像コンテンツ）を同時に表示する場合なども、マルチ画面表示モードに含まれる。
【００１８】
表示モードは、例えば、ユーザがリモコンの「２画面ボタン」を押した場合に、２つの映像コンテンツを１つの画面に表示する２画面表示モードに切り替えられ、再度「２画面ボタン」を押した場合に１画面表示モードに切り替えられる。そのため、マルチ画面検出部１２２は、「２画面ボタン」が押された際に生成される操作信号に基づいて表示モードを判断することができる。
また、データ放送データを含む映像、マルチアングル映像、３Ｄ立体映像などのように制御信号が付加されている映像が入力された場合に、表示モードが自動的にマルチ画面表示モードに切り替えられるケースもありうる。その場合には、マルチ画面検出部１２２は、制御信号の有無に基づいて表示モードを判断することができる。
【００１９】
また、マルチ画面検出部１２２は、入力された映像がマルチ画面映像である場合に、複数の映像コンテンツ間の境界の位置を検出し、該境界の位置の情報（境界情報）を記憶する。境界情報は、例えば、分割領域毎または画素毎の情報であって、上記境界を含んでいるか（上記境界に隣接しているか）否かを表す情報である。
【００２０】
補正判断部１２３は、複数の分割領域のγカーブを用いた平滑化処理を行うか否かを判断する。具体的には、マルチ画面検出部１２２が記憶する境界情報に基づいて、上記判断を行う。複数の分割領域のγカーブを用いた平滑化処理（以後、単に“平滑化処理”と記載する）とは、分割領域間の画素値（輝度値、ＲＧＢ値）の変化（あるいは、γカーブの変化）を平滑化するために、補正対象画素の周辺の複数の分割領域のγカーブを用いて当該画素の階調補正を行う処理である。
補正判断部１２３は、映像コンテンツ間の境界から所定の範囲内の位置に対しては、判断結果として０を出力する。本実施例では、補正判断部１２３は、分割領域毎に判断を行い、映像コンテンツ間の境界を含む部分領域に対しては０、映像コンテンツ間の境界を含まない分割領域に対して１を判断結果として出力する。
【００２１】
図７Ａ，７Ｂ，８Ａ，８Ｂは、補正判断部１２３の判断結果の一例を示す図である。
図７Ｂは図７Ａで示すような２画面表示を行った場合の判断結果である。分割領域Ｒ１３〜Ｒ１５，Ｒ２３，Ｒ２４，Ｒ３３〜Ｒ３５は映像コンテンツ間の境界を含むため、それらの分割領域に対する判断結果は０とされる。分割領域Ｒ１１，Ｒ１２，Ｒ２１，Ｒ２２，Ｒ２５，Ｒ３１，Ｒ３２は映像コンテンツ間の境界を含まないため、それらの分割領域に対する判断結果は１とされる。
図８Ｂは図８Ａで示すような１画面表示を行った場合の判断結果である。この場合には、全ての分割領域に対する判断結果が１とされる。
【００２２】
補正部１１４は、各分割領域のγカーブを用いて各分割領域の映像の階調を補正する際に、画素位置に応じて、平滑化処理を行う。本実施例では、補正部１１４は、領域γカーブ生成部１１３で生成された領域毎のγカーブと補正判断部１２３での判断結果に基づいて、平滑化処理を行う。具体的には、分割領域間の画素値の変化（あるいは、γカーブの変化）が平滑化されるように、分割領域毎にその分割領域のγカーブを用いて決定（変換）された階調値（γ補正値）を補正する。例えば、画素毎に、複数のγカーブ（分割領域毎のγカーブ）を用いて複数のγ補正値を算出し、算出した複数のγ補正値をその画素の位置に応じた重みで合成する。それにより、分割領域間の画素値の変化（あるいは、γカ
ーブの変化）が平滑化される。階調値が補正された映像信号は、出力映像信号として信号出力部１０２から表示装置（表示部）などに出力される。ただし、画像処理装置１００と表示装置とが一体となった構成（画像処理装置１００が表示部を内蔵する構成）であってもよい。
本実施例では、補正判断部１２３及び補正部１１４が階調補正手段に相当する。
なお、本実施例では、γ補正値を補正する構成としたが、画素毎にγカーブを補正してもよい。
【００２３】
以下、補正部１１４の機能についてより詳しく説明する。
本実施例では、映像コンテンツ間の境界から所定の範囲内において平滑化処理を行わない。具体的には、補正判断部１２３の判断結果が１の分割領域に対しては平滑化処理を行い、０の分割領域に対しては平滑化処理を行わないように、適応的に制御を切り替える。
【００２４】
図９Ａ〜９Ｃは、本実施例の効果を説明するためのイメージ図である。図９Ａは入力映像を示し、図９Ｂは従来の画像処理装置の出力映像を示し、図９Ｃは本実施例に係る画像処理装置の出力映像を示す。
図９Ａの例では、映像コンテンツ１，２が隣接している。映像コンテンツ１は映画などの輝度が低い映像コンテンツ、映像コンテンツ２はスタジオ収録などの輝度が高い映像コンテンツであるものとする。
【００２５】
まず、従来技術の出力映像について説明する。
図９Ａのような映像が入力された場合、映像コンテンツ１と映像コンテンツ２では明るさ（例えばＡＰＬ値）が大きく異なるため、映像コンテンツ１の領域で生成されるγカーブと映像コンテンツ２の領域で生成されるγカーブとは大きく異なる可能性がある。従来技術では、全ての分割領域に対し平滑化処理が行われる。即ち、図９Ｂのように映像コンテンツ１と映像コンテンツ２の境界及び映像コンテンツ１，２と背景３の境界を跨いで平滑化処理が行われてしまう。そのため、従来技術では、映像コンテンツ１と映像コンテンツ２の境界付近や、映像コンテンツ１，２と背景３の境界付近に輝度段差や擬似輪郭などの妨害が発生する場合があった。また、映像コンテンツ１と映像コンテンツ２のサイズを徐々に変更すると、上記輝度段差や疑似輪郭が映像コンテンツのサイズの変更に伴って動くため、妨害がより目立つ虞がある。
【００２６】
一方、本実施例では、映像境界付近では平滑化処理が行われない。そのため、図９Ｃに示すように、映像コンテンツ１と映像コンテンツ２の境界付近や、映像コンテンツ１，２と背景３の境界付近で輝度段差や擬似輪郭などが発生することを抑制することができる。
なお、１画面表示モードにおいては、全ての分割領域に対し平滑化処理が行われるため、分割領域間のγカーブの急激な変化を抑制し、γカーブの違いによる不自然な妨害感を軽減することができる。
【００２７】
以上述べたように、本実施例によれば、分割領域毎に求めた複数の階調変換カーブを用いる階調変換処理において、マルチ画面表示時における映像コンテンツ間の境界部分の画質の劣化を抑制できる。
具体的には、１画面表示時には、画面全体で平滑化処理が行われる。それにより、分割領域間のγカーブの違いによる画質の劣化を抑制することができる。また、マルチ画面表示時には、映像コンテンツ間の境界から所定の範囲内において平滑化処理を行わず、それ以外の領域では平滑化処理を行うような制御がされる。それにより、映像コンテンツ間で平滑化処理を行うことによる画質の劣化の抑制と、分割領域間のγカーブの違いによる画質の劣化の抑制を両立することができる。
【００２８】
＜実施例２＞
次に、実施例２に係る画像処理装置及びその制御方法について説明する。
図２は、本実施例に係る画像処理装置の機能構成を示すブロック図である。図２に示すように、画像処理装置２００は、信号入力部Ａ２０１，Ｂ２０２、合成部２１１、ヒストグラム取得部１１２、領域γカーブ生成部１１３、補正部１１４、操作部１２１、マルチ画面検出部１２２、補正判断部１２３、信号出力部１０２などを有する。ただし、画像処理装置２００と表示装置とが一体となった構成（画像処理装置１００が表示部を内蔵する構成）であってもよい。なお、実施例１と同じ機能（図１に示す機能）と同じ機能には同じ符号を付し、説明は省略する。
【００２９】
合成部２１１は、複数の映像コンテンツからマルチ画面映像を生成し出力する（マルチ画面映像生成手段）。具体的には、信号入力部Ａ２０１及び信号入力部Ｂ２０２からそれぞれ入力される映像コンテンツを、ユーザ操作や入力された映像の種類などに応じたレイアウトで合成し、出力する。
また、合成部２１１は、生成したマルチ画面映像中の映像コンテンツのレイアウトを表すレイアウト情報をマルチ画面検出部１２２に出力する。マルチ画面検出部１２２は、レイアウト情報に基づいて映像コンテンツ間の境界の位置を検出する。
具体的には、合成部２１１は、レイアウト情報をフレーム毎に出力する。それにより、レイアウトをフレーム単位で変更した場合においても、正確な境界情報を取得することが可能となる。
また、本実施例では、レイアウト情報が映像コンテンツのレイアウトを画素単位で表す情報であり、マルチ画面検出部２１１では、映像コンテンツ間の境界の位置が画素単位で検出されるものとする。そして、補正判断部１２３では、平滑化処理を行うか否かを画素毎に判断する。即ち、本実施例では、画素単位で平滑化処理を行うか否かが切り替えられる。それにより、分割領域単位で切り替えるよりも映像コンテンツ間で平滑化処理を行うことによる画質の劣化を抑制することができる（“所定の範囲”をより厳密に規定することができる）。
【００３０】
図１０，１１は、補正判断部１２３の判断結果の一例を示す図である。なお、以下では、実施例１（図３）と同様に映像を分割したとする。
【００３１】
補正判断部１２３は、映像コンテンツ間の境界の近傍（境界からの距離が所定距離未満）の画素に対して０、映像コンテンツ間の境界から所定距離以上離れた画素に対して１を判断結果として出力する。
なお、映像コンテンツ間の境界からどの範囲内の画素に対して判断結果を０とするかは、表示装置の画素数、映像信号の解像度、分割領域の数などに応じて適宜設定すればよい。
例えば、映像コンテンツ間の境界から２分割領域分の画素に対して判断結果を０とする構成であってもよいし画面の垂直方向と水平方向とで判断基準を異ならせてもよい。
【００３２】
図１０で示す領域Ｂ（分割領域Ｒ２１，Ｒ２２の境界部分の領域）は映像コンテンツ間の境界部分の領域ではないため、領域Ｂ内の各画素に対する判断結果は全て１となる。
一方、図１０で示す領域Ｃ（分割領域Ｒ２３，Ｒ２４の境界部分の領域）は映像コンテンツ間の境界部分の領域であるため、領域Ｃ内の各画素に対する判断結果は全て０となる。
【００３３】
図１１は、図１０の２画面表示から映像コンテンツのサイズ及び表示位置を変更した後の補正判断部１２３の判断結果を示す。
図１１で示す領域Ｃは、映像コンテンツのサイズ及び表示位置を変更したことにより、映像コンテンツ間の境界部分の領域ではなくなったため、領域Ｃ内の各画素に対する判断結果は全て１となる。
一方、映像コンテンツのサイズ及び表示位置を変更したことにより、図１１で示す領域Ｅ（分割領域Ｒ２３の一部の領域）が映像コンテンツ間の境界部分の領域となり、領域Ｅ内の各画素に対する判断結果が全て０とされる。
【００３４】
図１２Ａ，１２Ｂは、本実施例の効果を説明するための図である。図１２Ａは、本実施例に係る画像処理装置の出力映像を示し、図１２Ｂは図１２Ａの破線ｐ１−ｐ２で示すライン上の輝度を示す。
図１２Ｂの矢印Ｂ２は図１２Ａの位置Ｂ１での輝度を示し、図１２Ｂの矢印Ｃ２は図１２Ａの位置Ｃ１での輝度を示す。図１２Ｂの矢印Ａ２，Ｄ２も同様に、図１２Ａの位置Ａ１，Ｄ１の輝度を示す。
図１２Ａの位置Ｂ１近傍は、映像コンテンツ間の境界部分ではないため、図１２Ｂに示すように位置Ｂ１近傍の輝度はなめらかに平滑化される。
図１２Ａの位置Ｃ１近傍では、図１２Ｂに示すように、位置Ｃ１を境に輝度が急激に変化する。これは、位置Ｃ１が映像コンテンツ間の境界部分であるため（位置Ｃ１近傍の画素に対する判断結果が０となるため）、位置Ｃ１近傍の画素に対しては平滑化処理が行われないからである。
【００３５】
図１３Ａは、従来の画像処理装置の出力映像を示し、図１３Ｂは図１３Ａの破線ｐ３−ｐ４で示すライン上の輝度を示す。
従来技術では、図１３Ａの位置Ｃ１が映像コンテンツ間の境界部分であるにもかかわらず、図１３Ｂに示すように、位置Ｃ１近傍の輝度が位置Ｂ１近傍の輝度と同様に平滑化されてしまう。その結果、映像コンテンツ間の境界付近や、映像コンテンツと背景の境界付近に輝度段差や擬似輪郭などの妨害が発生することがある。
【００３６】
以上述べたように、本実施例によれば、フレーム単位でレイアウト情報を取得することができる。それにより、フレーム単位で境界情報を更新することができ、マルチ画面映像内の映像コンテンツのレイアウトが変更された場合にも正確な境界情報を得ることができる。その結果、平滑化処理を行うか否かの切り替えを精度よく行うことができ、映像コンテンツ間で平滑化処理を行うことによる画質の劣化をより抑制することができる。
また、本実施例によれば、画素単位で平滑化処理を行うか否かが切り替えられる。それにより、分割領域単位で切り替えるよりも映像コンテンツ間で平滑化処理を行うことによる画質の劣化を抑制することができる。
【符号の説明】
【００３７】
１１２  ヒストグラム取得部
１１３  領域γカーブ生成部
１１４  補正部
１２２，２１１  多画面検出部
１２３  補正判断部
【図１】
2011250394.tif 000003
【図２】
2011250394.tif 000004
【図３】
2011250394.tif 000005
【図４】
2011250394.tif 000006
【図５】
2011250394.tif 000007
【図６】
2011250394.tif 000008
【図７】
2011250394.tif 000009
【図８】
2011250394.tif 000010
【図９】
2011250394.tif 000011
【図１０】
2011250394.tif 000012
【図１１】
2011250394.tif 000013
【図１２】
2011250394.tif 000014
【図１３】
2011250394.tif 000015